(57)【特許請求の範囲】
【請求項１】
軸の外周にネジ部を設け、軸端部の少なくとも一方に第一の凸部を設けた操作軸と、前記ネジ部と螺合し、前記第一の凸部をストッパとして該第一の凸部と軸端部において当接する第二の凸部を設けたネジ部ガイド体と、該ネジ部ガイド体を摩擦係合により支持した可動部材とを有し、前記操作軸の回転によって前記ネジ部ガイド体と共に前記可動部材は操作軸の軸端部方向に移動して該移動に伴い電気信号の出力値が変化し、前記操作軸の前記第一の凸部と前記ネジガイド体の前記第二の凸部が当接したときに、前記ネジ部ガイド体を前記可動部材との摩擦係合に抗しつつ前記操作軸と共周りさせ、共周りする前記操作軸に逆方向の回転を与えるときは前記第一、第二の凸部は離反して、前記可動部材が前記ネジ部ガイド体と共に軸方向中心に向けて移動することを特徴とするネジ駆動式多回転型電気部品。
【請求項２】
前記摺動子支持体が、半筒形状部と平板状部とを結合させた外形形状を持ち、前記平板状部に前記ネジ部ガイド体を進入させる開口を形成すると共に、前記半筒形状部には前記ネジ部ガイド体を受け入れ摩擦係合させる溝を形成したことを特徴とする請求項１記載のネジ駆動式多回転型電気部品。
【発明の詳細な説明】
【０００１】
【発明の属する技術分野】
本発明は、可変抵抗器等に用いられるネジ駆動式多回転型電気部品に関する。
【０００２】
【従来の技術】
従来のネジ駆動式多回転型電気部品の一例として、可変抵抗器を図４から図７に基づき説明すると、図４に示すように、可変抵抗器のケース５１内に、直方体型であり、底面に摺動子５２を備えた摺動子支持体５３が駆動軸５４に取り付けられている。
【０００３】
摺動子支持体５３の駆動軸５４への取付は、図５に示すように、摺動子支持体５３の上面中央部に設けられた溝部５３ａに駆動軸５４を貫通させて、図６に示すコの字状の線材からなるスプリング５５の中央部５５ａが溝部５３ａを横切った状態で、下部５５ｂを係止部５３ｂに、両端５５ｃを小溝５３ｃに嵌入してある。
【０００４】
ここで、スプリング５５の中央部５５ａは、図７で示すように摺動子支持体５３の溝部５３ａに挿入した駆動軸５４に接して駆動軸５４上に設けたネジ山とかみ合っており、両端５５ｃはケース５１の上内壁に弾力をもって接している。
【０００５】
このように構成した従来の可変抵抗器においては、駆動軸５４を回転させることにより、スプリング５５を介して摺動子支持体５３を前後に移動させて、その下面に装着した摺動子５２（図４以外は図示せず）の移動をもって出力信号を変化させることができる。この際、スプリング５５の両端５５ｃは、ケース５１の上内壁に適度の圧力をもって接しており、摺動子支持体５３のガタつきが生じない。また、摺動子支持体５３がいずれかの終端に至った後、さらに駆動軸５４が回転を続けてもスプリング５５の中央部５５ａが駆動軸５４のネジ山を越えて外れるため、無理な力がかかることがない。
【０００６】
【発明が解決しようとする課題】
しかしながら、従来の可変抵抗器では、摺動子支持体５３がケース５１のいずれかの終端に至った後さらに駆動軸５４が回転を続けると、スプリング５５の中央部５５ｃが駆動軸５４のネジ山を越えて外れることが繰り返されるため、スプリング５５の中央部５５ａと駆動軸５４のネジ山との摺れによる異音が発生するという問題があった。
【０００７】
また、摺動子支持体５３がケース５１の終端に至った後も、駆動軸５４が回転を続けると、スプリング５５の中央部５５ａが駆動軸５４のネジ山から外れるので、駆動軸５４にそれまでとは逆向きの回転が加えても、摺動子支持体５３はスプリング５５の中央部５５ｃがネジ山と再びかみ合うまで移動しないために、このような可変抵抗器は応用品によっては使用できないという問題があった。
【０００８】
本発明は、異音が発生せず且つ応用品によらずに使用できるネジ駆動式回転型電気部品を提供することを目的とする。
【０００９】
【課題を解決するための手段】
本発明のネジ駆動式多回転型電気部品は、軸の外周にネジ部を設け、軸端部の少なくとも一方に第一の凸部を設けた操作軸と、前記ネジ部と螺合し、前記第一の凸部をストッパとして該第一の凸部と軸端部において当接する第二の凸部を設けたネジ部ガイド体と、該ネジ部ガイド体を摩擦係合により支持した可動部材とを有し、前記操作軸の回転によって前記ネジ部ガイド体と共に前記可動部材は操作軸の軸端部方向に移動して該移動に伴い電気信号の出力値が変化し、前記操作軸の前記第一の凸部と前記ネジガイド体の前記第二の凸部が当接したときに、前記ネジ部ガイド体を前記可動部材との摩擦係合に抗しつつ前記操作軸と共周りさせ、共周りする前記操作軸に逆方向の回転を与えるときは前記第一、第二の凸部は離反して、前記可動部材が前記ネジ部ガイド体と共に軸方向中心に向けて移動するようにした。
【００１０】
かかるネジ駆動式多回転型電気部品によれば、ネジ部ガイド体が可動部材との摩擦係合に抗しつつ操作軸と共周りするので、異音が生じない。またかかるネジ駆動式多回転型電気部品は、共周りする操作軸に逆方向の回転を与えると第一、第二の凸部は離反して、可動部材が軸方向中心に向けて移動するので、応用品によらず使用することができる。
【００１１】
また、本発明のネジ駆動式多回転型電気部品において、前記摺動子支持体が、半筒形状部と平板状部とを結合させた外形形状を持ち、前記平板状部に前記ネジ部ガイド体を進入させる開口を形成すると共に、前記半筒形状部には前記ネジ部ガイド体を受け入れ摩擦係合する溝を形成することは好ましい。かかるネジ駆動式多回転型電気部品では、ネジ部ガイド体と可動部との組立が容易となる。
【００１２】
【発明の実施の形態】
本発明のネジ駆動式多回転型電気部品の一実施の形態を、図１ないし図３に従って説明する。
【００１３】
図１に示すように、一実施の形態である可変抵抗器１は、ケース２内に固定された絶縁基板３の表面に形成された抵抗体パターン（図示せず）と、該抵抗体パターンと摺接する摺動子４を備えた可動部材５と、可動部材５が摩擦係合により支持したネジ部ガイド体７と、ネジ部ガイド体７に螺合するネジ部６ａを軸の外周に形成された操作軸６とから構成されている。
【００１４】
図３に示すように、黄銅等の金属材からなる操作軸６の一端部には円形の鍔部６ｂと、先端がケース２外に突出したツマミ部６ｃとが形成されており、操作軸６の鍔部６ｂにはネジ部６ａの軸方向中心に向かって突出する矩形状の第一の凸部６ｄが設けられている。
【００１５】
図３に示すように、ポリアセタール等合成樹脂からなるネジ部ガイド体７は、円筒状の基部７ａの内側に操作軸６のネジ部６ａと螺合するネジ部７ｂと、基部７ａの両端でそれぞれ軸方向外側に突出した２つの第二の凸部７ｄ、７ｅと、基部７ａの中央部の外周から突出した環状突出部７ｃとを形成している。
【００１６】
また、図３で示すように、ポリアセタール等の合成樹脂からなる可動部材５は平板状部５ａと半筒形状部５ｂとからなる。平板状部５ａには開口５ｃが設けられ、この開口５ｃは矩形の中央に幅広部５ｄを有し半筒形状部５ｂが開口５ｃの上方を覆うように平板状部５ａに一体に形成されている。半筒形状部５ｂには幅広部５ｄの上方に溝５ｅが形成されて、溝５ｅにより半筒形状部５ｂは二分されている。
【００１７】
ネジ部ガイド体７は、可動部材５の開口５ｃから半筒形状部５ｂの内側に進入し、ネジ部ガイド体７の環状突出部７ｃが半筒形状部５ｂの溝部５ｅに受け入れられて、可動部材５と摩擦係合されるようになっている。
【００１８】
ネジ部ガイド体７を可動部材５に組立た後に、可動部材５の平板状部５ａの底面に金属からなる摺動子４が取り付けられる。このように組み立てられた操作軸６、可動部材５、ネジ部ガイド体７、摺動子４は、図１、２に示すようにケース２内に収納される。
【００１９】
かかる可変抵抗器１において、操作軸６のツマミ部６ｃを回転させると、操作軸６のネジ部６ａと螺合すると共に可動部材５と摩擦係合したネジ部ガイド体７が可動部材５と一体にケース２内を操作軸６の軸方向に往復移動するので、摺動子４が抵抗体パターン上を摺動して可変抵抗器１の出力信号が変化する。
【００２０】
そして、図１のようにネジ部ガイド体７が操作軸６のネジ部６ａの終端に至ったとき、第一の凸部６ｄにこれと対応した第二の凸部７ｄが当接して、操作軸６の回転により第一の凸部６ｄが第二の凸部７ｄを押しとどめるストッパとなって、ネジ部ガイド体７は可動部材５の摩擦係合に抗しつつ、操作軸６と共周りするようになっている。
【００２１】
ネジ部ガイド体７と共周りしている操作軸６の回転を逆方向にすると、図２に示すように操作軸６とネジ部ガイド体７の凸部６ｄ、７ｄは直ちに解離して、可動部材５はネジ部ガイド体７と再び摩擦係合により一体となって、ケース２内を逆方向に移動する。
【００２２】
なお、本実施の形態においては、第一、第二の凸部６ｄ、７ｄを軸方向中心に向けて突出させたが、第一、第二の凸部６ｄ、７ｄのどちらかを軸方向と垂直に突出させても良い。また、本実施の形態においては、抵抗体を用いた可変抵抗器で説明したが、磁気式の可変抵抗器やエンコーダ等にも適用できる。
【００２３】
【発明の効果】
上述のように、本発明に係わるネジ駆動式多回転型電気部品は、操作軸の端部において、操作軸に設けた第一の凸部とネジ部ガイド体に設けた第二の凸部とを当接させつつ、ネジ部ガイド体を操作軸と共周りさせるので、異音が発生せず、また、操作軸に逆方向の回転を与えると第一、第二の凸部同士は直ちに離れて、すぐにネジ部ガイド体と一体に可動部材が軸方向逆向きに移動するので、応用品を限定せず使用することができる。
【図面の簡単な説明】
【図１】本発明のネジ駆動式多回転型電気部品の一実施の形態を示す断面図である。
【図２】図１の実施の形態において、図１の異なった状態を示す断面図である。
【図３】図１に示した実施の形態である可変抵抗器の分解斜視図である。
【図４】従来の可変抵抗器を示す一部を切り欠いた正面図である。
【図５】図４に示した可変抵抗器における摺動子支持体を示す斜視図である。
【図６】図５に示した摺動子支持体に取り付けられたスプリングを示す斜視図である。
【図７】図４に示した可変抵抗器の断面図である。
【符号の説明】
５  可動部材
５ａ  平板状部
５ｂ  半筒形状部
５ｃ  開口
５ｅ  溝部
６  操作軸
６ａ  ネジ部
６ｄ  第一の凸部
７  ネジ部ガイド体
７ｄ  第二の凸部
【図１】
0003587727.tif 000002
【図２】
0003587727.tif 000003
【図３】
0003587727.tif 000004
【図４】
0003587727.tif 000005
【図５】
0003587727.tif 000006
【図６】
0003587727.tif 000007
【図７】
0003587727.tif 000008